(57)【要約】      （修正有）【課題】搭載電源の故障時に第１のフォールバックソリューションに加えて、同時に発生する、エネルギーの提供のために利用される蓄電池の不具合時に、さらに第２のフォールバックソリューションを提供する。【解決手段】直列に結線される少なくとも２つの蓄電池（２０ａないし２０ｃ）であって、該少なくとも２つの蓄電池のそれぞれが少なくとも１つの蓄電コンデンサを含んでいる前記少なくとも２つの蓄電池と、少なくとも１つの変圧器（２２ａないし２２ｃ）とを備えた車両のための非常用エネルギー蓄積機であって、少なくとも２つの蓄電池のそれぞれがそれに割り当てられた変圧器と結合されているように、該非常用エネルギー蓄積機の蓄電池ごとにそれぞれ１つの変圧器をその少なくとも１つの変圧器として有している。【選択図】図２
2020022343.tif 000002
【特許請求の範囲】
【請求項１】
直列に結線される少なくとも２つの蓄電池（２０ａないし２０ｃ）であって、該少なくとも２つの蓄電池（２０ａないし２０ｃ）のそれぞれが少なくとも１つの蓄電コンデンサを含んでいる前記少なくとも２つの蓄電池（２０ａないし２０ｃ）と、
少なくとも１つの変圧器（２２ａないし２２ｃ）と、
を備えた車両のための非常用エネルギー蓄積機において、
前記非常用エネルギー蓄積機は、前記少なくとも２つの蓄電池（２０ａないし２０ｃ）のそれぞれがそれに割り当てられた変圧器（２２ａないし２２ｃ）と結合されているように、該非常用エネルギー蓄積機の蓄電池（２０ａないし２０ｃ）ごとにそれぞれ１つの変圧器（２２ａないし２２ｃ）をその少なくとも１つの変圧器（２２ａないし２２ｃ）として有していることを特徴とする非常用エネルギー蓄積機。
【請求項２】
前記非常用エネルギー蓄積機の前記変圧器（２２ａないし２２ｃ）が直列に結線されている、請求項１に記載の非常用エネルギー蓄積機。
【請求項３】
前記非常用エネルギー蓄積機の前記変圧器（２２ａないし２２ｃ）のそれぞれが、１つのコイル機構（ＬａないしＬｃ）と、１つのコンデンサ（ＣａないしＣｃ）と、２つのスイッチ要素（Ｓ１ａないしＳ１ｃおよびＳ２ａないしＳ２ｃ）とを有している、請求項１または２に記載の非常用エネルギー蓄積機。
【請求項４】
前記非常用エネルギー蓄積機の前記変圧器（２２ａないし２２ｃ）のそれぞれが、２つのＭＯＳＦＥＴをその２つのスイッチ要素（Ｓ１ａないしＳ１ｃおよびＳ２ａないしＳ２ｃ）として有している、請求項３に記載の非常用エネルギー蓄積機。
【請求項５】
前記非常用エネルギー蓄積機が、最大で３つの変圧器（２２ａないし２２ｃ）を有し、且つ該非常用エネルギー蓄積機がＢ６ゲートドライバーを含み、該Ｂ６ゲートドライバーにより、前記最大で３つの変圧器（２２ａないし２２ｃ）の最大で６つの前記スイッチ要素（Ｓ１ａないしＳ１ｃおよびＳ２ａないしＳ２ｃ）を切換え可能である、請求項３または４に記載の非常用エネルギー蓄積機。
【請求項６】
車両のブレーキマスタシリンダの前に支持可能または支持されている車両用電気機械式ブレーキ倍力装置において、請求項１から５までのいずれか一項に記載の非常用エネルギー蓄積機を備えた車両用電気機械式ブレーキ倍力装置。
【請求項７】
前記非常用エネルギー蓄積機が、最大で３つの変圧器（２２ａないし２２ｃ）を有し、且つ前記電気機械式ブレーキ倍力装置がＢ１２ゲートドライバーを含み、該Ｂ１２ゲートドライバーにより、前記非常用エネルギー蓄積機の前記最大で３つの変圧器（２２ａないし２２ｃ）の最大で６つの前記スイッチ要素（Ｓ１ａないしＳ１ｃおよびＳ２ａないしＳ２ｃ）と、前記電気機械式ブレーキ倍力装置の非常用エネルギー蓄積機・外部電子機構の他の６つのスイッチ要素とを切換え可能である、請求項６に記載の電気機械式ブレーキ倍力装置。
【請求項８】
請求項１から５までのいずれか一項に記載の非常用エネルギー蓄積機、および／または、請求項６または７に記載の電気機械式ブレーキ倍力装置を備えた、車両用ブレーキシステムおよび／またはステアリングシステム。
【請求項９】
車両バッテリーと、
請求項１から５までのいずれか一項に記載の非常用エネルギー蓄積機と、
を備えた車両用エネルギー供給システム。
【請求項１０】
車両の非常用エネルギー蓄積機のための製造方法であって、
少なくとも２つの蓄電池（２０ａないし２０ｃ）を直列に結線するステップであって、前記少なくとも２つの蓄電池（２０ａないし２０ｃ）のそれぞれが少なくとも１つの蓄電コンデンサを含んでいるステップ（Ｓ１）と、
前記非常用エネルギー蓄積機の少なくとも１つの変圧器（２２ａないし２２ｃ）を形成するステップと、
を含んだ前記製造方法において、
前記非常用エネルギー蓄積機の蓄電池（２０ａないし２０ｃ）ごとにそれぞれ１つの変圧器（２２ａないし２２ｃ）を前記非常用エネルギー蓄積機の少なくとも１つの変圧器（２２ａないし２２ｃ）として備えるように前記非常用エネルギー蓄積機を形成するステップであって、前記少なくとも２つの蓄電池（２０ａないし２０ｃ）のそれぞれがそれに割り当てられた変圧器（２２ａないし２２ｃ）と結合されている前記ステップ（Ｓ２）を特徴とする製造方法。
【発明の詳細な説明】
【技術分野】
【０００１】
本発明は、車両のための非常用エネルギー蓄積機に関するものである。また、本発明は車両用電気機械式ブレーキ倍力装置、車両のためのブレーキシステムおよび／またはステアリングシステム、車両用エネルギー供給システムに関する。さらに、本発明は車両の非常用エネルギー蓄積機のための製造方法に関する。
【背景技術】
【０００２】
図１は、本出願人にとって国内の従来技術として既知の従来のエネルギー蓄積装置の概略図である。
【０００３】
図１に図示した従来のエネルギー蓄積装置は、直列に結線されている複数の蓄電池１０ａないし１０ｃを有している。これら蓄電池１０ａないし１０ｃのそれぞれは、少なくとも１つの蓄電コンデンサを備えるように形成されている。さらに、この従来のエネルギー蓄積装置は、１つのコイルＬと、１つのコンデンサＣと、スイッチ要素Ｓ１およびＳ２としての２つのＭＯＳＦＥＴとからなる変圧器１２を有している。
【発明の概要】
【０００４】
本発明は、請求項１の構成要件を備えた、車両のための非常用エネルギー蓄積機と、請求項６の構成要件を備えた車両用電気機械式ブレーキ倍力装置と、請求項８の構成要件を備えた、車両のためのブレーキシステムおよび／またはステアリングシステムと、請求項９の構成要件を備えた車両用エネルギー供給システムと、請求項１０の構成要件を備えた、車両の非常用エネルギー蓄積機のための製造方法とを提供する。
【０００５】
本発明は、それぞれの車両の搭載電源の故障時でも車両の少なくとも１つの車両構成要素に「非常用エネルギー」または備蓄エネルギーを提供する手段を提供する。本発明の格別な利点は、エネルギーを提供するために利用される蓄電池に不具合が生じた場合でも、本発明により、この種の状況でまだ特定の非常用エネルギーを少なくとも１つの車両構成要素に提供可能であることにある。したがって本発明は、このようにめったに発生しない非常事態においても、少なくとも１つの車両構成要素を作動させることにより、車両にとって望ましい走行挙動をなお発生させることができる、または、補助することができることを保証することで、少なくとも１つの車両構成要素を備えた車両の快適基準および安全基準の向上に寄与する。これは、換言すれば、本発明は、搭載電源の故障時における第１のフォールバックソリューションに加えて、搭載電源の故障時、および、同時に発生する、エネルギーの提供のために利用される蓄電池の不具合時に、さらにいわゆる（補強用の）第２のフォールバックソリューションを提供するものであるともいえる。
【０００６】
本発明の更なる利点を、以下でその実施態様を詳細に述べることで説明する。
【０００７】
非常用エネルギー蓄積機の有利な実施態様では、非常用エネルギー蓄積機の変圧器は直列に結線されている。これにより、比較的高い全電圧を、直列に結線された変圧器を用いて少なくとも１つの車両構成要素に出力することができる。
【０００８】
たとえば、非常用エネルギー蓄積機の変圧器のそれぞれは、１つのコイル機構と、１つのコンデンサと、２つのスイッチ要素とを有している。したがって、非常用エネルギー蓄積機の少なくとも２つの変圧器は比較的安価に且つ比較的少ない作業コストで製造可能である。
【０００９】
特に、非常用エネルギー蓄積機の変圧器のそれぞれは、２つのＭＯＳＦＥＴをその２つのスイッチ要素として有していてよい。したがって、１つの変圧器ごとの２つのスイッチ要素は比較的簡潔に形成され得る。
【００１０】
有利な態様では、非常用エネルギー蓄積機は、最大で３つの変圧器を有し、且つ該非常用エネルギー蓄積機はＢ６ゲートドライバーを含み、該Ｂ６ゲートドライバーにより、最大で３つの変圧器の最大で６つのスイッチ要素を切換え可能である。これにより、比較的安価で、比較的頻繁に使用されているドライバーを非常用エネルギー蓄積機に対して使用することができる。これは非常用エネルギー蓄積機の生産を容易にし、その製造コストの付加的な低減に寄与する。
【００１１】
上述の利点は、車両のブレーキマスタシリンダの前に支持可能または支持されていて、この種の非常用エネルギー蓄積機を含んでいる車両用電気機械式ブレーキ倍力装置においても保証されている。好ましくは、非常用エネルギー蓄積機は、最大で３つの変圧器を有し、且つ電気機械式ブレーキ倍力装置はＢ１２ゲートドライバーを追加的に含み、該Ｂ１２ゲートドライバーにより、非常用エネルギー蓄積機の最大で３つの変圧器の最大で６つのスイッチ要素と、電気機械式ブレーキ倍力装置の非常用エネルギー蓄積機・外部電子機構の他の６つのスイッチ要素とを切換え可能である。このケースでも、比較的安価に、比較的頻繁に使用されているドライバーを電気機械式ブレーキ倍力装置に対して使用することができ、これによって電気機械式ブレーキ倍力装置の製造方法が簡潔になり、電気機械式ブレーキ倍力装置の製造コストが低減される。
【００１２】
対応する非常用エネルギー蓄積機および／またはこの種の電気機械式ブレーキ倍力装置を備えた車両用ブレーキシステムおよび／またはステアリングシステムも、上述の利点を実現する。
【００１３】
また、上述の利点は、車両バッテリーと対応的に形成された非常用エネルギー蓄積機とを備えた車両用エネルギー供給システムによって生じる。
【００１４】
さらに、車両の非常用エネルギー蓄積機のための対応する製造方法の実施も、上述の利点を提供する。製造方法は非常用エネルギー蓄積機の実施態様にしたがって発展形成可能であることを明確に指摘しておく。
【図面の簡単な説明】
【００１５】
次に、本発明の更なる構成要件および利点を、図を用いて説明する。
【図１】従来のエネルギー蓄積装置の概略図である。
【図２】本発明による非常用エネルギー蓄積機の一実施形態の概略図である。
【図３】車両の非常用エネルギー蓄積機のための製造方法の一実施形態を説明するためのフローチャートである。
【発明を実施するための形態】
【００１６】
図２は、本発明による非常用エネルギー蓄積機の一実施形態の概略図である。
【００１７】
図２に図示した非常用エネルギー蓄積機は、車両／自動車の表面および／または内部に挿着可能／取り付け可能である。なお、この非常用エネルギー蓄積機の有用性は特定のタイプの車両／自動車に限定されるものではないことをはっきり指摘しておく。
【００１８】
非常用エネルギー蓄積機は、直列に結線された少なくとも２つの蓄電池２０ａないし２０ｃを有している。少なくとも２つの各蓄電池２０ａないし２０ｃのそれぞれは、それぞれ少なくとも１つの（図示していない）蓄電コンデンサを含んでいる。これら蓄電池２０ａないし２０ｃのうちの少なくとも１つが複数の蓄電コンデンサを有している場合には、これら蓄電コンデンサは選択的に並列回路としておよび／または直列回路としてそれぞれの蓄電池２０ａないし２０ｃ内で結線されて設けられていてよい（図２に図示されている、ちょうど３つの蓄電池２０ａないし２０ｃを備えた非常用エネルギー蓄積機の構成は、説明するための例にすぎない）。
【００１９】
少なくとも１つの蓄電池２０ａないし２０ｃの少なくとも１つの蓄電コンデンサとは、たとえば特にスーパーコンデンサ(Super Capacitor,略してSupercapまたはSC)のような電気化学的コンデンサと理解してよい。たとえば、少なくとも１つのハイブリッドスーパーコンデンサ(Hybrid Super Capacitor,略してHSC)が少なくとも１つの蓄電コンデンサとして蓄電池２０ａないし２０ｃのうちの少なくとも１つに使用されていてよい。したがって、蓄電池２０ａないし２０ｃのうちの少なくとも１つはスーパーコンデンサセルとして形成されていてよい。
【００２０】
非常用エネルギー蓄積機は、該非常用エネルギー蓄積機を備えている車両／自動車の搭載電源の故障の際に、該非常用エネルギー蓄積機の蓄電池２０ａないし２０ｃの少なくとも２つに蓄積されているエネルギー自体を、まだ「非常用エネルギー」としてそれぞれの車両／自動車の少なくとも１つの車両構成要素に対し出力できるように形成されている。それ故、少なくとも１つの車両構成要素は、搭載電源の故障にもかかわらず、少なくとも過渡的には「非常用エネルギー」の出力によりまだ作動を続行することができ、したがって搭載電源の故障の影響を少なくとも過渡的に弱めることができる。よって、非常用エネルギー蓄積機は、それぞれの車両／自動車の快適基準および安全基準の向上に寄与する。たとえば、車両／自動車のブレーキシステムおよび／またはステアリングシステム／ステアリングの少なくとも１つの構成要素は、搭載電源の故障にもかかわらず、非常用エネルギー蓄積機により出力された「非常用エネルギー」により、車両／自動車のドライバーまたは自律制御システムがまだ比較的快適に且つ比較的安全に減速および／または操舵できるように作動をなお続行することができる。このようにして、非常用エネルギー蓄積機は、搭載電源の故障にもかかわらず、車両／自動車の操舵時および／または減速時にドライバーまたは自律制御システムを支援するための第１のフォールバックソリューションを提供する。
【００２１】
図２の非常用エネルギー蓄積機は、さらに、該非常用エネルギー蓄積機の各蓄電池２０ａないし２０ｃにつきそれぞれ１つの変圧器２２ａないし２２ｃを有し、この場合少なくとも２つの蓄電池２０ａないし２０ｃのそれぞれはその（個別に）割り当てられた変圧器２２ａないし２２ｃと結合されている。したがって、非常用エネルギー蓄積機は、蓄電池２０ａないし２０ｃと少なくとも同じ数量の変圧器２２ａないし２２ｃを有している。好ましくは、非常用エネルギー蓄積機の蓄電池２０ａないし２０ｃの蓄電池総数は、非常用エネルギー蓄積機の変圧器２２ａないし２２ｃの変圧器総数に等しい。
【００２２】
非常用エネルギー蓄積機の蓄電池２０ａないし２０ｃのそれぞれに１つの「固有の」変圧器２２ａないし２２ｃが有利に割り当てられていることにより、非常用エネルギー蓄積機の蓄電池２０ａないし２０ｃのそれぞれを、該非常用エネルギー蓄積機の他の蓄電池２０ａないし２０ｃとは独立に放電させることができる。それ故、少なくとも１つのまだ動作能力のある蓄電池２０ａないし２０ｃを欠陥のある蓄電池２０ａないし２０ｃとは独立に放電させることで、非常用エネルギー蓄積機の蓄電池２０ａないし２０ｃの１つに欠陥が存在していても、これを補填することもできる。したがって、それぞれの車両／自動車の搭載電源が故障している場合、少なくとも１つの車両構成要素への「非常用エネルギー」の出力は、非常用エネルギー蓄積機の蓄電池２０ａないし２０ｃの１つに欠陥があるにもかかわらず、まだ可能である。よって、図２の非常用エネルギー蓄積機は、それぞれの車両／自動車の快適性基準および安全性基準を付加的に向上させることに寄与する冗長性が従来技術に比べて向上している。それ故、非常用エネルギー蓄積機は、搭載電源の故障時に第１のフォールバックソリューションを生じさせるだけでなく、その蓄電池２０ａと２０ｃの少なくとも１つに欠陥がある場合に第２のフォールバックソリューションを実現させ、該第２のフォールバックソリューションにおいて、同様に、車両／自動車の操舵時および／または減速時にドライバーまたは自律制御システムがまだ出力可能な「非常用エネルギー」により支援される。したがって、搭載電源の故障と蓄電池２０ａないし２０ｃのうちの１つに存在する欠陥とによる「ダブルエラーシチュエーション」は、非常用エネルギー蓄積機の高い冗長性によりその影響をさらに少なくとも弱めることができる。
【００２３】
変圧器２２ａないし２２ｃは、それぞれＤＣ−ＤＣ変圧器、ＤＣ−ＤＣコンバータ、または、コンバータと呼ぶこともできる。図２で認められるように、非常用エネルギー蓄積機の変圧器２２ａないし２２ｃは直列に結線されている。したがって、非常用エネルギー蓄積機の接点２４ａと２４ｂにおいて、蓄電池２０ａないし２０ｃにより提供される個々の電圧の合計に相当する出力電圧Ｖbackupをピックアップ可能である。それにもかかわらず、蓄電池２０ａないし２０ｃの１つに欠陥がある場合、或いは、それぞれの蓄電池２０ａないし２０ｃの少なくとも１つの蓄電コンデンサに欠陥がある場合および／またはそれぞれの蓄電池２０ａないし２０ｃに個別に割り当てられている変圧器２２ａないし２２ｃに欠陥がある場合には、接点２４ａと２４ｂにおいて、まだ動作機能のある少なくとも１つの蓄電池２０ａないし２０ｃの少なくとも１つの個別電圧の合計に相当する出力電圧Ｖbackupをピックアップ可能である。したがって、蓄電池２０ａないし２０ｃの１つに欠陥があっても、非常用エネルギー蓄積機が完全に機能不全になったり、出力電圧Ｖbackupがゼロへ降下しない。
【００２４】
さらに、蓄電池２０ａないし２０ｃのそれぞれはそれに割り当てられた変圧器２２ａないし２２ｃを用いて個別に切換えることができるので、接点２４ａと２４ｂにおいてピックアップ可能な出力電圧Ｖbackupを変化させることができる。また、接点２４ａと２４ｂにおいてピックアップ可能な出力電圧Ｖbackupを変化させるために非常用エネルギー蓄積機は付加的な回路をも必要としない。
【００２５】
図２の実施例では、非常用エネルギー蓄積機の変圧器２２ａないし２２ｃのそれぞれは、それぞれ１つのコイル機構／コイルＬａないしＬｃと、それぞれ１つのコンデンサＣａないしＣｃと、それぞれ２つのスイッチ要素Ｓ１ａないしＳ１ｃおよびＳ２ａないしＳ２ｃとを有している。それぞれの蓄電池２０ａないし２０ｃの第１の接点は、割り当てられた変圧器２２ａないし２２ｃのコイル機構ＬａないしＬｃと第２のスイッチ要素Ｓ２ａないしＳ２ｃとを介して、割り当てられた変圧器２２ａないし２２ｃのコンデンサＣａないしＣｃの第１の電極と結合されていてよく、他方それぞれの蓄電池２０ａないし２０ｃの第２の接点は、割り当てられた変圧器２２ａないし２２ｃのコンデンサＣａないしＣｃの第２の電極と結合され、それぞれの変圧器２２ａないし２２ｃの第１のスイッチ要素Ｓ１ａないしＳ１ｃは、それぞれの変圧器２２ａないし２２ｃの第２のスイッチ要素Ｓ２ａないしＳ２ｃおよびコンデンサＣａないしＣｃに対し並列に配置されている。コンデンサＣａないしＣｃに対しては、非常用エネルギー蓄積機のコンデンサＣａないしＣｃの全容量が従来のエネルギー蓄積装置の前記コンデンサＣの最小容量よりも少ない程度の小容量タイプのコンデンサを必要とするにすぎない。対応的に、コイル機構ＬａないしＬｃの全容量は、従来のエネルギー蓄積装置の前記コイル機構Ｌの最小容量よりも小さくてよい。したがって、図２により描写された非常用エネルギー蓄積機の設計は、その小型化にも利用することができる。
【００２６】
非常用エネルギー蓄積機の変圧器２２ａないし２２ｃのそれぞれは、たとえばそれぞれ２つのＭＯＳＦＥＴをその２つのスイッチ要素Ｓ１ａないしＳ１ｃおよびＳ２ａないしＳ２ｃとして有していてよい。使用するＭＯＳＦＥＴのそれぞれは比較的小さな作動電圧に対してのみ設計されていればよいので、特に従来のエネルギー蓄積装置の前記スイッチ要素Ｓ１およびＳ２と比較して、比較的安価なＭＯＳＦＥＴを非常用エネルギー蓄積機に対して使用することができる。さらに、図２の非常用エネルギー蓄積機の場合に使用されるＭＯＳＦＥＴは、従来のエネルギー蓄積装置のスイッチ要素Ｓ１およびＳ２に対して通常使用される比較的電圧レベルの高いＭＯＳＦＥＴよりも電圧損失が少ない。
【００２７】
非常用エネルギー蓄積機が最大で３つの変圧器２２ａないし２２ｃを有している限りにおいては、該非常用エネルギー蓄積機はＢ６ゲートドライバー(B6 Gate Driver)を含んでいてよく、該Ｂ６ゲートドライバーを用いて最大で３つの変圧器２２ａないし２２ｃの最大で６つのスイッチ要素Ｓ１ａないしＳ１ｃおよびＳ２ａないしＳ２ｃを切換え可能である。したがって、非常用エネルギー蓄積機の製造のために、頻繁に使用されるゲートドライバー部品を使用することができる。これは非常用エネルギー蓄積機の製造を容易にして、その製造コストの低減に寄与する。
【００２８】
たとえば、上述した非常用エネルギー蓄積機を用いると、たとえばＥＳＰのようなそれぞれの車両／自動車の少なくとも１つのブレーキ圧発生装置を、搭載電源が故障してもまだ少なくとも過渡的に作動させることができる。それ故、非常用エネルギー蓄積機は有利にはブレーキシステムの表面および／またはブレーキシステムの内部に統合されていてよい。少なくとも１つのブレーキ圧発生装置はたとえば電気機械式ブレーキ倍力装置であってよく、該電気機械式ブレーキ倍力装置は、出力電圧Ｖbackupによって生じる該電気機械式ブレーキ倍力装置の作動によりブレーキマスタシリンダ内およびこれに結合されている少なくとも１つの車輪ブレーキシリンダ内の圧力を上昇可能であるように／上昇させるように、車両のブレーキマスタシリンダの前に支持可能／支持されている。図２の実施形態では、非常用エネルギー蓄積機は一例として３つの蓄電池２０ａないし２０ｃを有している。これら３つの蓄電池２０ａないし２０ｃは、車両／自動車の搭載電源が故障した場合でも、電気機械式ブレーキ倍力装置の少なくとも一時的な作動を保証するには十分である。したがって、このような状況においても車両／自動車をなお信頼性をもって出力電圧Ｖbackupにより減速させることができ、その際選択的に自律減速またはドライバーアシスト減速が可能である。
【００２９】
特に、図２に概略的に図式した非常用エネルギー蓄積機は、電気機械式ブレーキ倍力装置の表面および／または内部に取り付けられていてよい。従来の電気機械式ブレーキ倍力装置は、通常6つのＭＯＳＦＥＴをスイッチ要素として有している。それ故、非常用エネルギー蓄積機が最大で３つの変圧器２２ａないし２２ｃを有している限りにおいては、電気機械式ブレーキ倍力装置はＢ１２ゲートドライバー(B12 Gate Driver)を有することもでき、該Ｂ１２ゲートドライバーを用いて、非常用エネルギー蓄積機の最大で６つのスイッチ要素Ｓ１ａないしＳ１ｃおよびＳ２ａないしＳ２ｃと、電気機械式ブレーキ倍力装置の非常用エネルギー蓄積機・外部電子機構の他の６つのスイッチ要素とを切換え可能である。
【００３０】
さらに、（場合によっては電気機械式ブレーキ倍力装置に加えて）非常用エネルギー蓄積機は、車両／自動車の搭載電源の故障後のまだ少なくとも過渡時間の間に、他のブレーキ圧発生要素をも作動させることができる。たとえば、非常用エネルギー蓄積機は、搭載電源の故障後にステアリング／ステアリングシステムの少なくとも１つのモータ構成要素を出力電圧Ｖbackupを用いて作動させることができる。（非常用エネルギー蓄積機がステアリングに対しても利用される限りにおいては、その蓄電池２０ａないし２０ｃの数量を４つの蓄電池へ増大させるのが有利な場合が多い。）それ故、非常用エネルギー蓄積機は、有利には車両用ステアリングまたは車両用ブレーキシステムおよび車両用ステアリングシステムの表面および／または内部に組み込まれていてもよい。同様に、車両バッテリーおよび非常用エネルギー蓄積機を備えた車両のためのエネルギー供給システムも有利である。
【００３１】
図３は、車両の非常用エネルギー蓄積機のための製造方法の一実施形態を説明するフローチャートである。
【００３２】
以下に説明する製造方法を用いると、たとえば前述した非常用エネルギー蓄積機を製造することができる。しかしながら、この製造方法の実施可能性はこの非常用エネルギー蓄積機に限定されるものではない。
【００３３】
方法ステップＳ１で、少なくとも２つの蓄電池を（互いに）直列に結線し、その際少なくとも２つの蓄電池のそれぞれは少なくとも１つの蓄電コンデンサを含んでいる。さらに、この製造方法はさらに少なくとも方法ステップＳ２を有しており、該方法ステップＳ２で、非常用エネルギー蓄積機の少なくとも１つの変圧器が形成される。この場合、該方法ステップＳ２で、非常用エネルギー蓄積機は、該非常用エネルギー蓄積機の蓄電池ごとにそれぞれ1つの変圧器を（前記少なくとも１つの変圧器として）備えて形成され、その際少なくとも２つの蓄電池のそれぞれをそれに割り当てられた変圧器と結合する。
【００３４】
方法ステップＳ１とＳ２とは、任意の順番で、同時に、または時間的にオーバーラップして実施してよい。
【符号の説明】
【００３５】
２０ａないし２０ｃ  蓄電池
２２ａないし２２ｃ  変圧器
ＣａないしＣｃ  コンデンサ
ＬａないしＬｃ  コイル機構
Ｓ１ａないしＳ１ｃ  第１のスイッチ要素
Ｓ２ａないしＳ２ｃ  第２のスイッチ要素
【図１】
2020022343.tif 000003
【図２】
2020022343.tif 000004
【図３】
2020022343.tif 000005
【外国語明細書】
2020022343000001.pdf